(57)【要約】【課題】比較的軽量で嵩張るような被貯留物がホッパー基体内に於いてよりブリッジ状態となり難く、被貯留物をよりスムーズに移動（落下）させることができ、構成が簡素で、堅牢で、耐久性に優れ、量産に適し、低廉で、より経済的なホッパー用ブリッジ防止装置を提供する。【解決手段】ホッパー基体Ａに設ける一対の軸受部１と、一方の軸受部１に回動自在に挿通する長軸２と、他方の軸受部１に回動自在に挿通する短軸３と、長軸２の一部に外装する一方の取付筒４と、短軸３及び長軸２の先端部分に跨るように外装する他方の取付筒５と、一方の取付筒４に固着する一方の半割プレート６と、他方の取付筒５に固着する他方の半割プレート７とを備え、一対の半割プレート６、７が夫々自由に揺動できるよう構成する。【選択図】図１
0003126787.tif 000002
【実用新案登録請求の範囲】
【請求項１】
ペットボトル類や缶類や木片類等の比較的軽量で嵩張るような被貯留物を一時的に貯留する適宜ホッパーに於いて、被貯留物がホッパー内でブリッジ状態となって、下方への移動が阻止されるのを防止できるようにしたホッパー用ブリッジ防止装置であって、ホッパー基体の適宜位置に設けられる一対の軸受部と、一方の軸受部に回動自在に挿通される長軸と、他方の軸受部に回動自在に挿通される短軸と、長軸の一部に外装される一方の取付筒と、短軸及び長軸の先端部分に跨るように外装される他方の取付筒と、一方の取付筒に固着される一方の半割プレートと、他方の取付筒に固着される他方の半割プレートとを備え、一対の半割プレートが夫々自由に揺動できるように構成したことを特徴とするホッパー用ブリッジ防止装置。
【請求項２】
長軸の基端部分と短軸の基端部分が、ホッパー基体の外がわに突出するように形成し、長軸の基端部分と短軸の基端部分に、手動レバーを夫々固着し、止ネジを介して一方の取付筒を長軸に固定すると共に、他方の取付筒を短軸に固定したことを特徴とする請求項１記載のホッパー用ブリッジ防止装置。
【考案の詳細な説明】
【技術分野】
【０００１】
本考案は、例えば、使用済みのペットボトルや使用済みの缶や間伐材等の木片（例えば、バーク材）の如き比較的軽量で嵩張るような被貯留物を一時的に貯留する適宜ホッパーに於いて、被貯留物がホッパー内でブリッジ状態となって、下方への移動（落下）が阻止されるのを確実に防止できるように工夫したホッパー用ブリッジ防止装置に関するものである。
【背景技術】
【０００２】
従来、この種のホッパー用ブリッジ防止装置としては、例えば、特許文献１のようなホッパーのブリッジ防止手段が開示されている。
そして、このブリッジ防止手段は、ホッパータンクの２傾斜側面間の中心線に沿って配設され、ホッパータンク上部に支持された上縁部を支点にホッパータンクの２傾斜側壁の方向に自由揺動可能に吊り下げられて、ホッパータンク内の上部空間をホッパータンクの上から２／３程度にわたって粉体搬送方向でほぼ二分する一枚の薄板製仕切板を備えたもので、ブリッジ障害発生要因でもって仕切板の左右のバランスが崩れて仕切板が左右いずれかに揺動し、この揺動でブリッジ障害発生要因が解消されて、粉体はブリッジ障害を起こすことなく落下していくように構成したものである。
【０００３】
【特許文献１】特許第２７７５６６６号公報
【考案の開示】
【考案が解決しようとする課題】
【０００４】
前述の如きブリッジ防止手段によって、粉体がブリッジ障害を起こすことなく落下していくようになった。
しかしながら、本願考案者は、これに満足することなく、使用済みのペットボトルや使用済みの缶や間伐材等の木片（例えば、バーク材）の如き比較的軽量で嵩張るような被貯留物に最適で、これらの被貯留物がよりスムーズに移動（落下）でき、しかも、構成が簡素で、堅牢で、耐久性に優れ、取扱い易く、低廉で、より経済的なブリッジ防止装置を提供すべく案出したものである。
【課題を解決するための手段】
【０００５】
しかして、前述の如き課題等を達成すべく、請求項１記載のホッパー用ブリッジ防止装置にあっては、ペットボトル類や缶類や木片類等の比較的軽量で嵩張るような被貯留物を一時的に貯留する適宜ホッパーに於いて、被貯留物がホッパー内でブリッジ状態となって、下方への移動が阻止されるのを防止できるようにしたホッパー用ブリッジ防止装置であって、ホッパー基体Ａの適宜位置に設けられる一対の軸受部１と、一方の軸受部１に回動自在に挿通される長軸２と、他方の軸受部１に回動自在に挿通される短軸３と、長軸２の一部に外装される一方の取付筒４と、短軸３及び長軸２の先端部分に跨るように外装される他方の取付筒５と、一方の取付筒４に固着される一方の半割プレート６と、他方の取付筒５に固着される他方の半割プレート７とを備え、一対の半割プレート６、７が夫々自由に揺動できるように構成する手段を採用した。
【０００６】
また、請求項２記載のホッパー用ブリッジ防止装置にあっては、長軸２の基端部分と短軸３の基端部分が、ホッパー基体Ａの外がわに突出するように形成し、長軸２の基端部分と短軸３の基端部分に、手動レバー８を夫々固着し、止ネジ９を介して一方の取付筒４を長軸２に固定すると共に、他方の取付筒５を短軸３に固定する手段を採用した。
【考案の効果】
【０００７】
従って、本考案の請求項１記載のホッパー用ブリッジ防止装置によれば、使用済みのペットボトルや使用済みの缶や間伐材等の木片（例えば、バーク材）の如き比較的軽量で嵩張るような被貯留物に最適で、これらの被貯留物をよりスムーズに移動（落下）させることができるようになる。
そして、ホッパー基体Ａの適宜位置に設けられる一対の軸受部１と、一方の軸受部１に回動自在に挿通される長軸２と、他方の軸受部１に回動自在に挿通される短軸３と、長軸２の一部に外装される一方の取付筒４と、短軸３及び長軸２の先端部分に跨るように外装される他方の取付筒５と、一方の取付筒４に固着される一方の半割プレート６と、他方の取付筒５に固着される他方の半割プレート７とを備えているので、ブリッジ防止装置自体の構成が簡素となり、堅牢で、耐久性に優れたものとなる。しかも、量産に適し、低廉で、より経済的なブリッジ防止装置となる。
特に、一対の半割プレート６、７が夫々自由に揺動できるように構成したので、ホッパー基体Ａ内に於いて被貯留物がよりブリッジ状態となり難いものとなる。
【０００８】
また、本考案の請求項２記載のホッパー用ブリッジ防止装置によれば、アクシデント等によってホッパー基体Ａ内で被貯留物がブリッジ状態となってその移動（落下）が停止したときに、手動レバー８によって一対の半割プレート６、７夫々を揺動せしめられ、被貯留物のブリッジ状態を簡単に且つ確実に解消できるようになり、取扱い易く、使い勝手の優れたものとなる。
【考案を実施するための最良の形態】
【０００９】
以下、本考案を図示例に基づいて説明すると、次の通りである。
本考案は、例えば、ペットボトル類や缶類や木片類等の比較的軽量で嵩張るような被貯留物を一時的に貯留する適宜ホッパーに於いて、被貯留物がホッパー内でブリッジ状態となって、下方への移動が阻止されるのを防止できるようにしたホッパー用ブリッジ防止装置である。
具体的には、前記ブリッジ防止装置は、ホッパー基体Ａの適宜位置に設けられる一対の軸受部１と、一方の軸受部１に回動自在に挿通される長軸２と、他方の軸受部１に回動自在に挿通されると共に、長軸２の軸芯に対して同一直線上で合致する短軸３と、長軸２の一部に外装される一方の取付筒４と、短軸３及び長軸２の先端部分に跨るように外装される他方の取付筒５と、一方の取付筒４に固着される一方の半割プレート６と、他方の取付筒５に固着される他方の半割プレート７とを備え、一対の半割プレート６、７が夫々自由に揺動できるように構成されている。
また、長軸２の基端部分と短軸３の基端部分は、ホッパー基体Ａの外がわに僅かに突出するように形成されており、長軸２の基端部分と短軸３の基端部分には、適宜手動レバー８が夫々固着されている。しかも、止ネジ９を介して一方の取付筒４を長軸２に固定すると共に、他方の取付筒５を短軸３に固定してある。
【実施例】
【００１０】
前記ホッパー基体Ａは、例えば、略逆四角錐台状を呈し、上部の投入口が大きく、下部の排出口に行くに従って漸次孔径が小さくなるように構成されている。
【００１１】
前記軸受部１は、例えば、ホッパー基体Ａの外表面がわに対峙するように設けられ、長軸２や短軸３を揺動自在に貫通支持できるよう形成されている。尚、一対の軸受部１は、平面から見てホッパー基体Ａを略二等分するような線上（中心線上）に配されており、被貯留物をバランス良く移動（落下）できるように形成されている。
【００１２】
前記長軸２は、例えば、適宜金属製丸棒状を呈し、一対の軸受部１を結ぶ直線の略半分を超える長さに設定されており、しかも、その基端部分は、一方の軸受部１を介してホッパー基体Ａの外方に僅かに突出するように形成されている。
【００１３】
前記短軸３は、例えば、適宜金属製丸棒状を呈し、一対の軸受部１を結ぶ直線の略半分より短い長さに設定されており、しかも、その基端部分は、他方の軸受部１を介してホッパー基体Ａの外方に僅かに突出するように形成されている。
【００１４】
前記一方の取付筒４は、例えば、適宜金属製丸パイプ状を呈し、一対の軸受部１を結ぶ直線の略半分程度の長さに設定されており、しかも、長軸２に対して回動自在となるように外装されている。また、長軸２の一部（先端がわを除く部分）に外装されている。
【００１５】
前記他方の取付筒５は、例えば、適宜金属製丸パイプ状を呈し、一対の軸受部１を結ぶ直線の略半分程度の長さに設定されており、しかも、長軸２の先端がわ部分と短軸３とに跨るように外装されていると共に、長軸２及び短軸３に対して回動自在となるように形成されている。すなわち、他方の取付筒５によって、長軸２と短軸３が同一直線上で合致するように支持されている。
【００１６】
前記一方の半割プレート６は、例えば、適宜金属製の板材で略台形状に形成されており、その上端縁部分が一方の取付筒４に固着されており、長軸２を中心としてその下部がホッパー基体Ａ内で揺動するように形成されている。
【００１７】
前記他方の半割プレート７は、例えば、適宜金属製の板材で略台形状に形成されており、その上端縁部分が他方の取付筒５に固着されており、長軸２及び短軸３を中心としてその下部がホッパー基体Ａ内で揺動するように形成されている。
すなわち、一方の半割プレート６と他方の半割プレート７は、夫々別個に揺動できるように構成されている。従って、ホッパー基体Ａ内で被貯留物のブリッジ状態の発生をより抑制できるものとなっている。
【００１８】
前記手動レバー８は、例えば、適宜金属製杆状を呈しており、長軸２や短軸３の基端部分に適宜手段で夫々固定されている。
【００１９】
前記止ネジ９は、長軸２と一方の取付筒４、短軸３と他方の取付筒５を夫々固定できるように形成されたもので、手動レバー８の揺動操作によって、一方の半割プレート６や他方の半割プレート７を夫々確実に揺動せしめられるように設けられたものである。
【００２０】
ところで、ブリッジ防止装置の具体的構成、形状、寸法、材質、ホッパー基体Ａの具体的構成、形状、寸法、材質、軸受部１の具体的構成、形状、寸法、材質、配設位置、長軸２の具体的構成、形状、寸法、材質、短軸３の具体的構成、形状、寸法、材質、取付筒４、５の具体的構成、形状、寸法、材質、半割プレート６、７の具体的構成、形状、寸法、材質、手動レバー８の具体的構成、形状、寸法、材質、配設位置、止ネジ９の具体的構成、形状、寸法、材質、数、配設位置等は図示例のもの等に限定されることなく適宜自由に設定、変更できるものである。
【図面の簡単な説明】
【００２１】
【図１】本考案のホッパー用ブリッジ防止装置を例示する一部切欠正面図である。
【図２】本考案のホッパー用ブリッジ防止装置を例示する一部切欠側面図である。
【図３】本考案のホッパー用ブリッジ防止装置を例示する分解斜視図である。
【符号の説明】
【００２２】
Ａ      ホッパー基体
１      軸受部
２      長軸
３      短軸
４      取付筒
５      取付筒
６      半割プレート
７      半割プレート
８      手動レバー
９      止ネジ
【図１】
0003126787.tif 000003
【図２】
0003126787.tif 000004
【図３】
0003126787.tif 000005